(57)【要約】【課題】従来技術では、セキュリティーを確保しつつ、外部から容易に特定の電子機器にアクセスできない、という課題があった。【解決手段】電子機器とサーバ装置と電子機器にアクセスするアクセス装置を有する情報処理システムにおける機器操作方法であって、アクセス装置は、サーバ装置へのアクセス要求を受け付け、サーバ装置に、電子機器アクセス情報の送信を促し、かつアクセス装置識別子を有する命令である送信命令を送信し、送信命令の送信に対応してサーバ装置から送信された電子機器アクセス情報を受信し、電子機器アクセス情報に基づいて電子機器から操作画面情報を受信し、操作画面情報に基づいて操作画面を表示し、操作画面に基づいて入力された機器操作情報を電子機器に送信することにより、セキュリティーを確保しつつ、外部から容易に特定の電子機器にアクセスできる。【選択図】図２
2006217660.tif 000002
【特許請求の範囲】
【請求項１】
電子機器とサーバ装置と前記電子機器にアクセスするアクセス装置を有する情報処理システムであって、
前記電子機器は
当該電子機器または他の電子機器を操作するための画面を構成する情報である操作画面情報を格納している操作画面情報格納部と、
前記アクセス装置の要求に応じて、前記操作画面情報を送信する操作画面情報送信部と、前記アクセス装置からの機器操作情報を受け付ける機器操作画面情報受信部と、前記機器操作画面情報受信部が受け付けた機器操作情報に基づいて動作する機器動作部を具備し、前記サーバ装置は、
前記アクセス装置を識別する情報であるアクセス装置識別子と前記電子機器にアクセスするための情報である電子機器アドレス情報を有するレコードを１以上有するアクセス情報管理部と、
前記アクセス装置からアクセス装置識別子を有する送信命令を受信する送信命令受信部と、
前記送信命令受信部が受信した送信命令が有するアクセス装置識別子と対になる電子機器アドレス情報を有する電子機器アクセス情報を前記アクセス装置に送信する電子機器アクセス情報送信部を具備し、
前記アクセス装置は、
当該アクセス装置を識別する情報であるアクセス装置識別子を格納しているアクセス装置識別子格納部と、
前記サーバ装置を識別する情報であるサーバ装置識別子を格納しているサーバ装置識別子格納部と、
前記サーバ装置へのアクセス要求を受け付けるアクセス要求受付部と、
前記アクセス要求受付部がアクセス要求を受け付けた場合に、前記サーバ装置識別子格納部に格納されているサーバ装置識別子で識別されるサーバ装置に、前記電子機器にアクセスするための情報である電子機器アクセス情報の送信を促す命令であり、かつ前記アクセス装置識別子を有する命令である送信命令を送信する送信命令送信部と、
前記送信命令の送信に対応して前記サーバ装置から送信された電子機器アクセス情報を受信する電子機器アクセス情報受信部と、
前記電子機器アクセス情報受信部が受信した電子機器アクセス情報に基づいて前記電子機器に操作画面情報の送信を促し、当該操作画面情報を受信する操作画面情報受信部と、
前記操作画面情報受信部が受信した操作画面情報に基づいて操作画面を表示する操作画面表示部と、
前記操作画面表示部が表示した操作画面に基づいて入力された機器操作情報を受け付ける機器操作情報受付部と、
前記機器操作情報を前記電子機器に送信する機器操作画面情報送信部を具備する情報処理システム。
【請求項２】
前記電子機器は
前記機器操作画面情報受信部で受け付けた機器操作情報を蓄積する機器操作情報設定部をさらに具備し、
前記機器動作部は、前記機器操作情報設定部が蓄積した機器操作情報に基づいて動作する請求項１記載の情報処理システム。
【請求項３】
前記アクセス装置は、
前記電子機器アクセス情報受信部が受信した電子機器アクセス情報の一部または全部を表示する電子機器アクセス情報表示部と、
前記電子機器アクセス情報表示部が表示した電子機器アクセス情報に対する入力を受け付
ける操作画面情報送信命令受付部をさらに具備し、
前記操作画面情報受信部は、前記操作画面情報送信命令受付部が入力を受け付けた場合に、前記入力に基づいて前記電子機器に操作画面情報の送信を促し、当該操作画面情報を受信する請求項１または請求項２いずれか記載の情報処理システム。
【請求項４】
請求項１から請求項３いずれか記載の情報処理システムを構成する電子機器。
【請求項５】
請求項１から請求項３いずれか記載の情報処理システムを構成するサーバ装置。
【請求項６】
請求項１から請求項３いずれか記載の情報処理システムを構成するアクセス装置。
【請求項７】
電子機器とサーバ装置と前記電子機器にアクセスするアクセス装置を有する情報処理システムにおける機器操作方法であって、
前記アクセス装置が、前記サーバ装置へのアクセス要求を受け付けるアクセス要求受付ステップと、
前記アクセス装置が、予め格納されているサーバ装置識別子で識別されるサーバ装置に、前記電子機器にアクセスするための情報である電子機器アクセス情報の送信を促す命令であり、かつアクセス装置識別子を有する命令である送信命令を送信する送信命令送信ステップと、
前記サーバ装置が、格納している電子機器アクセス情報から、前記アクセス装置に対応する電子機器アドレス情報を取得する電子機器アドレス情報取得ステップと、
前記サーバ装置が、前記電子機器アドレス情報を含む電子機器アクセス情報を前記アクセス装置に送信する電子機器アクセス情報送信ステップと、
前記アクセス装置が、前記電子機器アクセス情報を受信する電子機器アクセス情報受信ステップと、
前記アクセス装置が、前記受信した電子機器アクセス情報に基づいて、前記電子機器に操作画面情報の送信を促す操作画面情報送信指示ステップと、
前記電子機器が、前記アクセス装置の送信指示に対して格納している操作画面情報を送信する操作画面情報送信ステップと、
前記アクセス装置が、操作画面情報を受信する操作画面情報受信ステップと、
前記アクセス装置が、前記受信した操作画面情報に基づいて操作画面を表示する操作画面表示ステップと、
前記アクセス装置が、前記操作画面に対して、前記電子機器の機器操作情報の入力を受け付ける機器操作情報受付ステップと、
前記アクセス装置が、前記機器操作情報を前記電子機器に送信する機器操作情報送信ステップと、
前記電子機器が、前記機器操作情報を受信する機器操作情報受信ステップと、
前記電子機器が、前記機器操作情報に基づいて動作する機器動作ステップを具備する機器操作方法。
【請求項８】
前記電子機器は、前記機器操作情報受信ステップで受け付けた機器操作情報を蓄積する機器操作情報設定ステップをさらに具備し、
前記機器動作ステップにおいて、前記機器操作情報設定ステップで蓄積した機器操作情報に基づいて動作する請求項１記載の情報処理システム。
【請求項９】
前記アクセス装置が、前記受信した電子機器アクセス情報の一部または全部を表示する電子機器アクセス情報表示ステップと、
前記アクセス装置が、前記電子機器アクセス情報表示ステップにおける電子機器アクセス情報の表示に対する入力である電子機器アクセス命令を受け付ける電子機器アクセス命令受付ステップをさらに具備し、
前記操作画面情報受信ステップは、前記操作情報送信命令受付ステップで入力を受け付けた場合に、前記入力に基づいて前記電子機器に操作画面情報の送信を促し、当該操作画面情報を受信する請求項７記載の機器操作方法。
【請求項１０】
コンピュータに、
サーバ装置へのアクセス要求を受け付けるアクセス要求受付ステップと、
前記アクセス要求を受け付けた場合に、予め格納されているサーバ装置識別子で識別されるサーバ装置に、電子機器にアクセスするための情報である電子機器アクセス情報の送信を促す命令であり、かつアクセス装置識別子を有する命令である送信命令を送信する送信命令送信ステップと、
前記送信命令の送信に対応して前記サーバ装置から送信された電子機器アクセス情報を受信する電子機器アクセス情報受信ステップと、
前記受信した電子機器アクセス情報に基づいて前記電子機器に操作画面情報の送信を促し、当該操作画面情報を受信する操作画面情報受信ステップと、
前記受信した操作画面情報に基づいて操作画面を表示する操作画面表示ステップと、
前記表示した操作画面に基づいて入力された機器操作情報を受け付ける機器操作情報受付ステップと、
前記機器操作情報を前記電子機器に送信する機器操作画面情報送信ステップを実行させるためのプログラム。
【発明の詳細な説明】
【技術分野】
【０００１】
本発明は、外部から電子機器の機器情報の設定や機器の操作ができる情報処理システム等に関するものである。
【背景技術】
【０００２】
従来の外部から電子機器の機器情報の設定や機器の操作ができる情報処理システムは、通常、以下のような動作を行った。つまり、携帯端末等の外部の装置から、例えば、家庭内のビデオに対して録画予約をする場合、外部装置がビデオと通信するための情報を保持しており、当該情報に基づいて外部装置がビデオにアクセスして、ユーザが入力した録画予約の情報を送信していた。
【発明の開示】
【発明が解決しようとする課題】
【０００３】
しかしながら、上記の従来技術では、例えば、ビデオが新しくなりビデオと通信するための情報が変わった場合に、逐一、携帯端末等の外部装置に設定しなければならない。また、セキュリティー上、外部から容易に家庭内のビデオにアクセスできるのは好ましくはない。
【０００４】
また、外部装置から、例えば、ビデオとＴＣＰ／ＩＰにより通信する場合、ビデオと通信するための情報であるＩＰアドレスは一般に固定されているとは限らず、ＰＰＰやＤＨＣＰなどのプロトコルにより動的に割り当てられることがあり、ＩＳＰからのサーバの運用や、一時的な通信断などの様々な要因により、ＩＰアドレスは動的に変化する。さらに、ＩＰアドレスが判明した場合でも、ビデオと通信するためにさらに必要なポート番号も、ＡＤＳＬルーターに搭載されるインターネットアドレス変換機能により、動的に変更されることがある。このような変換機能はＮＡＰＴ（Ｎｅｔｗｏｒｋ  Ａｄｄｒｅｓｓ  ａｎｄ  Ｐｏｒｔ  Ｔｒａｎｓｌａｔｉｏｎ）やＩＰ、マスカレード機能と呼ばれて普及している。
【０００５】
従って、このような動的に変化するＩＰアドレスやポートを持つ機器に対し、外部（例えば、家庭外）からアクセスするためには、何らかの方法で現在のＩＰアドレスとポートを知る必要があった。従来のこのような用途のための技術にはＤｙｎａｍｉｃＤＮＳサーバなどが存在した。ＤｙｎａｍｉｃＤＮＳサーバは、インターネットの標準規格であるＲＦＣで定義されるＤＮＳプロトコルを用いて、機器の現在のＩＰアドレスをクライアント端末に通知することで、クライアント端末から家庭内の機器へのアクセスを可能とさせる。しかしながら、このＤＮＳプロトコルは、ＩＰアドレスを通知する方式であったので、現在のポート番号を通知することができなかった。また、ＤｙｎａｍｉｃＤＮＳサーバは、最寄りのサーバがアドレスを回答するキャッシュの仕組みを持つため、動的に変化する機器のアドレスを扱う場合、古い情報がキャッシュされている場合があり、正しくないアドレスが通知されることがあった。
【課題を解決するための手段】
【０００６】
以上の課題を解決するために、本発明は、電子機器とサーバ装置と電子機器にアクセスするアクセス装置を有する情報処理システムにおける機器操作方法であって、アクセス装置が、サーバ装置へのアクセス要求を受け付けるアクセス要求受付ステップと、アクセス装置が、予め格納されているサーバ装置識別子で識別されるサーバ装置に、電子機器にアクセスするための情報である電子機器アクセス情報の送信を促す命令であり、かつアクセス装置識別子を有する命令である送信命令を送信する送信命令送信ステップと、サーバ装
置が、格納している電子機器アクセス情報から、アクセス装置に対応する電子機器アドレス情報を取得する電子機器アドレス情報取得ステップと、サーバ装置が、電子機器アドレス情報を含む電子機器アクセス情報をアクセス装置に送信する電子機器アクセス情報送信ステップと、アクセス装置が、電子機器アクセス情報を受信する電子機器アクセス情報受信ステップと、アクセス装置が、受信した電子機器アクセス情報に基づいて、電子機器に操作画面情報の送信を促す操作画面情報送信指示ステップと、電子機器が、アクセス装置の送信指示に対して格納している操作画面情報を送信する操作画面情報送信ステップと、アクセス装置が、操作画面情報を受信する操作画面情報受信ステップと、アクセス装置が、受信した操作画面情報に基づいて操作画面を表示する操作画面表示ステップと、アクセス装置が、操作画面に対して、電子機器の機器操作情報の入力を受け付ける機器操作情報受付ステップと、アクセス装置が、機器操作情報を電子機器に送信する機器操作情報送信ステップと、電子機器が、機器操作情報を受信する機器操作情報受信ステップと、電子機器が、機器操作情報に基づいて動作する機器動作ステップを具備する機器操作方法であり、かかる機器操作方法により、容易に、かつセキュリティー上の問題なく、外部から電子機器の機器情報の設定や操作でき、かつ動的に変更され得るＩＰアドレスやポート番号に確実に対応できる。
【発明の効果】
【０００７】
本発明によれば、セキュリティーを確保しつつ、外部から容易に特定の電子機器にアクセスできる。
【発明を実施するための最良の形態】
【０００８】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【０００９】
図１は、本実施の形態に係る情報処理システムのシステム構成図である。本情報処理システムは、電子機器１１、ルーター１２、サーバ装置１３、アクセス装置１４を有する。図２は、本実施の形態に係る情報処理システムのブロック図である。電子機器１１は、操作画面情報格納部１１０１、操作画面情報送信部１１０２、機器操作情報受信部１１０３、機器操作情報設定部１１０４、機器動作部１１０５を有する。ルーター１２は、インターネットに電子機器１１を接続する機能を果たし、経路制御機能やネットワークアドレス変換機能（ＮＡＴ）などを有する。サーバ装置１３は、アクセス情報管理部１３０１、送信命令受信部１３０２、電子機器アクセス情報送信部１３０３を有する。アクセス装置１４は、アクセス装置識別子格納部１４０１、サーバ装置識別子格納部１４０２、アクセス要求受付部１４０３、送信命令送信部１４０４、電子機器アクセス情報受信部１４０５、電子機器アクセス情報表示部１４０６、操作画面情報送信命令受付部１４０７、操作画面情報受信部１４０８、操作画面表示部１４０９、機器操作情報受付部１４１０、機器操作情報送信部１４１１を有する。
【００１０】
操作画面情報格納部１１０１は、電子機器１１または他の電子機器を操作する画面を構成する情報である操作画面情報を格納している。操作画面情報とは、例えば、操作したい電子機器がビデオである場合に、当該ビデオに対して録画予約するためのユーザインターフェイス（メニューやパネルなど）を構成する情報である。本情報は、例えば、Ｃ−ＨＴＭＬ（コンパクト・エイチ・ティー・エム・エル）やＨＴＭＬで記載されている。また、例えば、操作したい電子機器がコンピュータで、コンピュータ中の画像アルバムを呼び出したいときには、操作情報は、画像アルバムを表示したり、検索したりするためのメニュー画面やパネルを構成する情報である。本情報は、例えば、Ｃ−ＨＴＭＬまたはＨＴＭＬ等で記載されている。操作画面情報格納部１１０１は、不揮発性の記録媒体で実現されるのが好適であるが、揮発性の記録媒体で実現されても良い。
【００１１】
操作画面情報送信部１１０２は、アクセス装置１４の要求に応じて、操作画面情報格納部１１０１に格納されている操作画面情報を取得し、ルーター１２経由でアクセス装置１４に送信する。なお、アクセス装置１４の要求に応じて操作画面情報を取得するとは、通常、二以上ある操作画面情報のうちから一の操作情報を選択することを言う。但し、操作画面情報が一つだけである場合は、選択の必要はないのは言うまでもない。操作画面情報送信部１１０２は、通常、無線または有線の通信手段（例えば、ネットワークカードとそのドライバーソフト等）で実現され得るが、放送手段で実現しても良い。
【００１２】
機器操作情報受信部１１０３は、アクセス装置１４からの機器操作情報をルーター１２経由で受信する。機器操作情報受信部１１０３は、通常、無線または有線の通信手段（例えば、モデムとそのドライバーソフト等）で実現され得るが、放送を受信する手段（例えば、チューナーとそのドライバーソフト等）でも実現可能である。機器操作情報受信部１１０３が通信手段で実現される場合は、機器操作情報受信部１１０３と操作画面情報送信部１１０２は、通常、物理的に一の手段で実現される。
【００１３】
機器操作情報設定部１１０４は、機器操作情報受信部１１０３が受信した機器操作情報を蓄積する。蓄積とは、通常、不揮発性の記録媒体への格納を言うが、揮発性の記録媒体への一時的な格納であっても良い。また、この記録媒体は、電子機器に内蔵の記録媒体でも、外付けの記録媒体でも良い。さらに、機器操作情報は、電子機器１１が何らかの動作を実行する際に利用しても良いし、電子機器１１に接続されている他の電子機器が読み出して（または、受信して）、利用しても良い。電子機器１１が、いわゆる、家庭内のホームサーバで、他の電子機器がホームサーバに接続され得るビデオやコンピュータ等の場合に、電子機器１１に接続されている他の電子機器が機器情報を利用する態様が考えられる。機器操作情報設定部１１０４は、通常、ソフトウェアにより実現されるが、ハードウェアにより実現されても良い。
【００１４】
機器動作部１１０５は、機器操作情報受信部１１０３が受信した機器操作情報に基づいて動作を行う。なお、機器動作部１１０５は、機器操作情報設定部１１０４が機器操作情報を蓄積する場合は、当該機器操作情報に基づいて動作を行う。この動作は、機器操作情報によって異なる。機器操作情報がビデオの録画予約を行う情報である場合は、動作とは録画である。
【００１５】
アクセス情報管理部１３０１は、アクセス装置１４を識別する情報であるアクセス装置識別子と電子機器１１にアクセスするための情報である電子機器アドレス情報を有するレコードを１以上格納している。この１以上のレコードを有する表をアクセス情報管理表と言う。アクセス装置識別子とは、例えば、アクセス装置１４が携帯電話である場合の携帯電話の番号である。また、アクセス装置識別子とは、例えば、アクセス装置１４がインターネットに接続されているコンピュータである場合のグローバルＩＰアドレスである。また、アクセス装置識別子とは、例えば、アクセス装置を保持するユーザを識別するユーザ識別子でも良い。ユーザ識別子とは、いわゆるログイン識別子とパスワードなどである。ユーザ識別子は、例えば、アクセス装置の入力手段を用いて、ユーザが入力した情報である。また、電子機器アドレス情報とは、例えば、電子機器１１と通信をするためのグローバルＩＰアドレスである。このグローバルＩＰアドレスは、例えば、ルーター１２に割り付けられたグローバルＩＰアドレスである。但し、ルーター１２なしで電子機器１１が直接、インターネットに接続される場合は、電子機器アドレス情報とは、例えば、電子機器１１に割り付けられたグローバルＩＰアドレスである。また、電子機器アドレス情報とは、例えば、グローバルＩＰアドレスとポート番号の組である。なお、電子機器アドレス情報は、電子機器１１が適宜、サーバ装置に登録を行って、最新のアドレス情報に更新されている。アクセス情報管理部１３０１は、不揮発性の記録媒体で実現されるのが好適であ
るが、揮発性の記録媒体で実現されても良い。
【００１６】
送信命令受信部１３０２は、アクセス装置１４からアクセス装置識別子を有する送信命令を受信する。送信命令とは、電子機器１１にアクセスするための情報である電子機器アクセス情報の送信を促す命令である。送信命令受信部１３０２は、通常、無線または有線の通信手段（例えば、モデムとそのドライバーソフトやネットワークカードとそのドライバーソフト等）で実現されるが、放送を受信する手段でも実現可能である。
【００１７】
電子機器アクセス情報送信部１３０３は、送信命令受信部１３０２が受信した送信命令が有するアクセス装置識別子と対になる電子機器アドレス情報をアクセス情報管理部１３０１から取得し、当該電子機器アドレス情報を有する電子機器アクセス情報を構成し、当該電子機器アクセス情報をアクセス装置１４に送信する。なお、電子機器アクセス情報は、電子機器アドレス情報のみからなる場合もあり得、かかる場合、電子機器アクセス情報送信部１３０３は電子機器アクセス情報を構成する動作をしない。電子機器アクセス情報送信部１３０３は、通常、無線または有線の通信手段（例えば、ネットワークカードとそのドライバーソフト等）で実現されるが、放送手段でも実現可能である。また、電子機器アクセス情報送信部１３０３が通信手段で実現される場合は、電子機器アクセス情報送信部１３０３と送信命令受信部１３０２は、通常、物理的に一の手段で実現される。
【００１８】
アクセス装置識別子格納部１４０１は、アクセス装置１４を識別するアクセス装置識別子を格納している。アクセス装置識別子格納部１４０１は、不揮発性の記録媒体で実現されるのが好適であるが、揮発性の記録媒体で実現されても良い。アクセス装置識別子が、ユーザにより入力された情報（例えば、ログイン識別子とパスワードなど）である場合は、アクセス装置識別子格納部１４０１は不揮発性の記録媒体である方が望ましい。
【００１９】
サーバ装置識別子格納部１４０２は、サーバ装置１３を識別する情報であるサーバ装置識別子を格納している。サーバ装置識別子格納部１４０２は、不揮発性の記録媒体で実現されるのが好適であるが、揮発性の記録媒体で実現されても良い。
【００２０】
アクセス要求受付部１４０３は、サーバ装置１３へのアクセス要求を受け付ける。アクセス要求受付部１４０３は、例えば、アクセス装置１４のユーザからのサーバ装置１３へのアクセス要求を受け付ける。アクセス装置１４が携帯電話である場合、かかるアクセス要求は、通常、テンキーからの入力である。また、アクセス装置１４がコンピュータの場合、アクセス要求はキーボードやマウスからの入力である。従って、アクセス要求受付部１４０３は、キーをドライブするソフトウェア等であり、またはキーボード等のドライバーソフト等である。但し、アクセス要求受付部１４０３は、サーバ装置１３へアクセスする旨を示す命令を他の装置から受信しても良い。
【００２１】
送信命令送信部１４０４は、アクセス要求受付部１４０３でアクセス要求を受け付けた場合に、サーバ装置識別子格納部１４０２に格納されているサーバ装置識別子で識別されるサーバ装置に、電子機器１１にアクセスするための情報である電子機器アクセス情報の送信を促す命令である送信命令を送信する。なお、送信命令はアクセス装置識別子を有する。送信命令送信部１４０４は、通常、無線または有線の通信手段（例えば、ネットワークカードとそのドライバーソフト等）で実現されるが、放送手段でも実現可能である。
【００２２】
電子機器アクセス情報受信部１４０５は、送信命令の送信に対応してサーバ装置１３から送信された電子機器アクセス情報を受信する。電子機器アクセス情報受信部１４０５は、通常、無線または有線の通信手段（例えば、ネットワークカードとそのドライバーソフト等）で実現されるが、放送を受信する手段でも実現可能である。
【００２３】
電子機器アクセス情報表示部１４０６は、電子機器アクセス情報受信部１４０５が受信した電子機器アクセス情報の一部または全部を表示する。電子機器アクセス情報表示部１４０６は、例えば、ディスプレイとデータを表示制御するソフトウェア等により実現され得る。
【００２４】
操作画面情報送信命令受付部１４０７は、電子機器アクセス情報表示部１４０６が表示した電子機器アクセス情報に対する入力を受け付ける。操作画面情報送信命令受付部１４０７は、通常、アクセス要求受付部１４０３と同様の手段で実現される。
【００２５】
操作画面情報受信部１４０８は、操作画面情報送信命令受付部１４０７が入力を受け付けた場合に、当該入力に基づいて電子機器１１に操作画面情報の送信を促し、当該操作画面情報を受信する。操作画面情報受信部１４０８は、通常、無線または有線の通信手段（例えば、ネットワークカードとそのドライバーソフト等）で実現されるが、放送手段および放送を受信する手段でも実現可能である。
【００２６】
操作画面表示部１４０９は、操作画面情報受信部１４０８で受信した操作画面情報に基づいて操作画面を表示する。操作画面情報表示部１４０９は、例えば、ディスプレイとデータを表示制御するソフトウェア等により実現され得る。
【００２７】
機器操作情報受付部１４１０は、操作画面情報表示部１４０９で表示された操作画面に基づいて入力された機器操作情報を受け付ける。機器操作情報受付部１４１０は、通常、アクセス装置１４のユーザからの入力を受け付ける。機器操作情報の入力は、メニューの選択である場合もあり得るし、キーボードなどによりデータ入力である場合もあり得る。機器操作情報受付部１４１０は、通常、アクセス要求受付部１４０３や操作画面情報送信命令受付部１４０７と同様の手段で実現される。
【００２８】
機器操作情報送信部１４１１は、機器操作情報受付部１４１０が受け付けた機器操作情報を電子機器１１に送信する。機器操作情報送信部１４１１が送信する機器操作情報は、機器操作情報受付部１４１０で受け付けた機器情報と同一のものであるとは限らない。両者のデータ形式等が異なっていても良い。機器操作情報送信部１４１１は、通常、無線または有線の通信手段（例えば、ネットワークカードとそのドライバーソフト等）で実現されるが、放送手段でも実現可能である。機器操作情報送信部１４１１が通信手段で実現される場合、機器操作情報送信部１４１１と送信命令送信部１４０４と電子機器アクセス情報受信部１４０５と操作画面情報受信部１４０８は、通常、一の物理的手段により実現される。
【００２９】
以下、本情報処理システムの動作について説明する。まず、電子機器１１の動作について図３のフローチャートを用いて説明する。
（ステップＳ３０１）操作画面情報送信部１１０２は、アクセス装置１４からの操作画面情報を送信する旨の要求があったか否かを判断する。要求があればステップＳ３０２に行き、要求がなければステップＳ３０１に戻る。
【００３０】
（ステップＳ３０２）操作画面情報送信部１１０２は、操作画面情報格納部１１０１から操作画面情報を取得する。
【００３１】
（ステップＳ３０３）操作画面情報送信部１１０２は、ステップＳ３０２で取得した操作画面情報を送信する。
【００３２】
（ステップＳ３０４）機器操作情報受信部１１０３は、アクセス装置１４から機器操作情報を受信したか否かを判断する。機器操作情報を受信すればステップＳ３０５に行き、
機器操作情報を受信しなければステップＳ３０４に戻る。
【００３３】
（ステップＳ３０５）機器操作情報設定部１１０４は、ステップＳ３０４で受信した機器操作情報を蓄積する。なお、蓄積した機器操作情報の利用は、種々考えられる。電子機器１１が蓄積した機器操作情報を利用して動作する場合もある。また、電子機器１１にネットワークで接続された機器が機器操作情報を利用して動作する場合もある。さらに、機器操作情報設定部１１０４は、一時的にメモリに機器操作情報を保持し、当該機器操作情報に基づいて、すぐに動作を行う場合もある。また、機器操作情報設定部１１０４が機能せずに、機器操作情報受信部１１０３が受信した機器操作情報に基づいて、すぐに動作を行う場合もある。これらの動作は、機器動作部１１０５が行う。
【００３４】
次に、サーバ装置１３の動作について図４のフローチャートを用いて説明する。
（ステップＳ４０１）送信命令受信部１３０２は、アクセス装置１４からアクセス装置識別子を有する送信命令を受信したか否かを判断する。送信命令を受信すればステップＳ４０２に行き、送信命令を受信しなければステップＳ４０１に戻る。
【００３５】
（ステップＳ４０２）電子機器アクセス情報送信部１３０３は、ステップＳ４０１で受信した送信命令からアクセス装置識別子を取り出す。
【００３６】
（ステップＳ４０３）電子機器アクセス情報送信部１３０３は、アクセス装置識別子をキーとして、アクセス情報管理部１３０１を検索する。検索の結果、アクセス装置識別子に対応する電子機器アドレス情報を取得すればステップＳ４０４に行き、電子機器アドレス情報を取得できなければステップＳ４０５に飛ぶ。
【００３７】
（ステップＳ４０４）電子機器アクセス情報送信部１３０３は、ステップＳ４０３で取得した電子機器アドレス情報を含む電子機器アクセス情報を構成する。なお、電子機器アクセス情報と電子機器アドレス情報が同一の情報である場合も考えられる。かかる場合、本ステップは、何もしない。つまり、本ステップはｎｏｐである。
【００３８】
（ステップＳ４０５）電子機器アクセス情報送信部１３０３は、エラーメッセージを含む電子機器アクセス情報を構成する。本エラーメッセージは、アクセス装置１４からアクセスできる電子機器１１が存在しないことを示すメッセージである。
【００３９】
（ステップＳ４０６）電子機器アクセス情報送信部１３０３は、ステップＳ４０４またはステップＳ４０５で構成した電子機器アクセス情報をアクセス装置１４に送信する。
【００４０】
次に、アクセス装置１４の動作について図５のフローチャートを用いて説明する。
（ステップＳ５０１）アクセス要求受付部１４０３は、サーバ装置１３へのアクセス要求を受け付けたか否かを判断する。アクセス要求を受け付ければステップＳ５０２に行き、アクセス要求を受け付けなければステップＳ５０１に戻る。
【００４１】
（ステップＳ５０２）送信命令送信部１４０４は、アクセス装置識別子格納部１４０１からアクセス装置識別子を取得する。
【００４２】
（ステップＳ５０３）送信命令送信部１４０４は、サーバ装置識別子格納部１４０２からサーバ装置識別子を取得する。
【００４３】
（ステップＳ５０４）送信命令送信部１４０４は、ステップＳ５０２で取得したアクセス装置識別子を用いて、送信命令を構成する。なお、送信命令がアクセス装置識別子のみからなる場合は、ステップＳ５０４において、何もしない。つまり、ステップＳ５０４は
、ｎｏｐである。
【００４４】
（ステップＳ５０５）送信命令送信部１４０４は、ステップＳ５０３で取得したサーバ装置識別子で識別されるサーバ装置１３に対して、ステップＳ５０４で構成した送信命令を送信する。
【００４５】
（ステップＳ５０６）電子機器アクセス情報受信部１４０５は、電子機器アクセス情報を受信したか否かを判断する。電子機器アクセス情報を受信すればステップＳ５０７に行き、電子機器アクセス情報を受信しなければステップＳ５０６に戻る。
【００４６】
（ステップＳ５０７）電子機器アクセス情報表示部１４０６は、ステップＳ５０６で受信した電子機器アクセス情報を用いて表示する情報（例えば、メニュー情報）を構成する。
【００４７】
（ステップＳ５０８）電子機器アクセス情報表示部１４０６は、ステップＳ５０７で構成した情報を表示する。その結果、例えば、ディスプレイ上に操作メニューが表示される。
【００４８】
（ステップＳ５０９）操作画面情報送信命令受付部１４０７は、ステップＳ５０８で表示した情報に対する適正な入力を受け付けたか否かを判断する。入力を受け付ければステップＳ５１０に行き、入力を受け付けなければステップＳ５０９に戻る。
【００４９】
（ステップＳ５１０）操作画面情報受信部１４０８は、電子機器１１に操作画面情報の送信を促す。「送信を促す」とは、通常、操作画面情報を送信するように指示する命令を送信する、ことを言う。但し、他の手段により操作画面情報の送信を促しても良い。
【００５０】
（ステップＳ５１１）操作画面情報受信部１４０８は、操作画面情報を受信したか否かを判断する。操作画面情報を受信すればステップＳ５１２に行き、操作画面情報を受信しなければステップＳ５１１に戻る。
【００５１】
（ステップＳ５１２）操作画面表示部１４０９は、ステップＳ５１１で受信した操作画面情報から表示する情報を構成する。この情報は、例えば、ユーザの操作を促すメニュー情報である。
【００５２】
（ステップＳ５１３）操作画面表示部１４０９は、ステップＳ５１２で構成した情報を表示する。
【００５３】
（ステップＳ５１４）機器操作情報受付部１４１０は、ステップＳ５１３で表示された情報に基づいて入力された機器操作情報を受け付ける。機器操作情報の入力は、単にメニュー項目の選択の場合もあり得る。また、機器操作情報の入力は、機器に対する設定情報（時刻や、録画予約情報など）のキーボード等を用いた入力などである場合もあり得る。
【００５４】
（ステップＳ５１５）機器操作情報送信部１４１１は、ステップＳ５１４で受け付けた入力から送信する機器操作情報を構成する。
【００５５】
（ステップＳ５１６）機器操作情報送信部１４１１は、ステップＳ５１５で構成した機器操作情報を送信する。
【００５６】
なお、図５のフローチャートにおいて、ステップＳ５０７からステップＳ５０９は必須ではない。つまり、電子機器アドレス情報の全部または一部を、アクセス装置１４で表示
して、ユーザ指示に基づいて操作画面情報の送信を促す必要はない。例えば、電子機器アドレス情報が電子機器１１のＩＰアドレスを含むＵＲＬをアクセス装置１４に送信し、一定時間後に自動的にＵＲＬが示すページ（ＨＴＭＬで記載されたデータ）にジャンプするなどにより、ユーザに指示なしに次のステップ（電子機器に操作画面情報の送信を促す動作）に移っても良い。
【００５７】
以下、本実施の形態における情報処理システムの具体的な動作について説明する。具体的な情報処理システムのシステム構成図を図６に示す。本情報処理システムは、電子機器１１、ルーター１２、サーバ装置１３、アクセス装置１４、ビデオ６１、パーソナルコンピュータ６２を有する。電子機器１１は、家庭内にあるサーバ装置（いわゆる、ホームサーバ）である。そして、ホームサーバ１１は、ルーター１２を介してインターネットに接続されている機器と通信可能である。電子機器１１は、携帯電話である、とする。また、サーバ装置１３は、インターネットに接続されているサービスプロバイダー（以下、適宜「ＩＳＰ」と言う。）の情報処理装置である。さらに、アクセス装置１４は移動可能な携帯電話である。そして、本情報処理システムにおいて、ホームサーバ１１のセキュリティーを確保しながら、携帯電話１４からホームサーバ１１にアクセス可能である。以下に、その具体的な動作やデータ例について述べる。
【００５８】
今、サーバ装置１３は、図７に示すようなアクセス情報管理表を保持している。アクセス情報管理表は、「ページ名」「グローバルＩＰアドレス」「電子機器名」「暗証番号」「携帯電話番号」を有するレコードを１以上格納している。但し、アクセス情報管理表は、図７に示すように非正規形の表であっても、正規形の表であっても良い。「ページ名」とは、携帯電話１４に表示される単位のページの名称であり、携帯電話１４にページが表示される場合には、携帯電話１４の画面上に「ページ名」は表示される。「グローバルＩＰアドレス」は、電子機器１１と通信を行うための情報である。なお、「グローバルＩＰアドレス」の代わりに、「グローバルＩＰアドレス」と「ポート番号」の組により、電子機器１１と通信を行っても良い。「電子機器名」は、電子機器１１を識別する名称であり、ユーザが理解可能な名称である。「暗証番号」は、「グローバルＩＰアドレス」で通信可能な電子機器１１と通信接続する際に入力されるべき番号である。「携帯電話番号」は、携帯電話１４を識別する電話番号である。
【００５９】
また、ホームサーバには、図８に示すメニューおよびパネル情報が格納されている。図８は、ホームサーバ１１に接続されているビデオ６１、パーソナルコンピュータ６２を携帯電話１４からアクセスして操作するためのメニューやパネルである。また、図８のメニューやパネルは、階層構造を有する。具体的には、トップパネルは、２つの操作メニュー項目（「録画予約」、「画像アルバム」）と終了ボタンを有する。「録画予約」のメニュー項目が選択された場合は、図８の「録画予約パネル」に移る。この「録画予約パネル」は、ビデオ６１に対して録画予約を設定するためのパネルである。この「録画予約パネル」で「ｃｈ」（チャンネル）、「開始時刻」「終了時刻」が入力され、決定ボタンが押下されれば、当該データがホームサーバ１１にセットされ、ビデオ６１が録画予約を行う、こととなる。また、「画像アルバム」のメニュー項目が選択された場合は、図８の「画像アルバムメニュー」に移る。そして、「読み出し」または「登録」が選択され得、「読み出し」が選択された場合は、パーソナルコンピュータ６２から選択された写真（画像）が読み出され、携帯電話１４に表示される。また、「登録」が選択され場合は、携帯電話１４からホームサーバ１１を経由して、パーソナルコンピュータ６２に写真が登録され得る。なお、終了ボタンが押下されれば、メニューの表示を終了する。以上、「画像アルバム」のメニュー項目が選択された場合は、電子機器（ホームサーバ）の機器操作情報受信部が受信した機器操作情報に基づいて、ただちに機器が動作する。つまり、ただちに機器が動作するとは、写真が呼び出されたり、登録されたりすることをいう。
【００６０】
以下、上記の動作の流れを詳細に説明する。本情報処理システムの具体的な動作について、図９を用いて説明する。まず、携帯電話１４のユーザがサーバ装置１３へのアクセス要求を入力する。本アクセス要求は、サーバ装置識別子（サーバ装置１３にアクセスするためのＵＲＬ）がブックマークとして登録されており、かかるブックマークを選択することにより行われる（図９の（１））。次に、携帯電話１４が自身の電話番号「０９０−１１１１−２２２２」を含む送信命令をサーバ装置１３に送信して、接続に行く（図９の（２））。次に、サーバ装置１３は、電話番号「０９０−１１１１−２２２２」をキーとして図７の管理表を検索し、「ページ名」「グローバルＩＰアドレス」「電子機器目例」「暗証番号」を有する電子機器アクセス情報（"山田君"のページ）を携帯電話１４に送信する（図９の（３））。その際、サーバ装置１３が格納している広告情報（図示しない）も併せて送信する、とする。そして、携帯電話１４は、電子機器アクセス情報を受信し、電子機器アクセス情報の一部、または全部を表示する。その際、携帯電話１４は、受信した広告情報も表示する。そして、ユーザは、アクセスしたい電子機器１１を選択する（図９の（４））。図９においては、一つしかアクセス可能な電子機器はないが、複数のアクセス可能な電子機器があっても良い、ことは言うまでもない。また、図９において図示していないが、図９の（４）の選択は、暗証番号「０１２３」を入れることにより可能になる。
【００６１】
次に、ホームサーバが選択されたので、携帯電話１４は、グローバルＩＰアドレス「１２３．２２２．０．１」で識別されるルーター１２に接続し（図９の（５））、ルーター１２のＮＡＴ（静的ＦＷ）機能で家庭内のホームサーバ１１にアクセスする（図９の（６））。次に、ホームサーバ１１は、ルーター１２経由で、格納している操作画面情報を送信する（図９の（７））。携帯電話１４は、操作画面情報を受信し、操作メニューを表示する。そして、ユーザは、「（１）録画予約」を選択する、とする（図９の（８））。次に、携帯電話１４は、「（１）録画予約」が選択された旨を示す情報をルーター１２経由でホームサーバ１１に送信する（図９の（９））。次に、ホームサーバ１１は、ルーター１２経由で次の操作画面情報を送信する（図９の（１０））。なお、次の操作画面情報は、図８の録画予約パネルを構成する情報である。次に、携帯電話１４は、次の操作画面情報を受信し、表示する。そして、ユーザは、録画予約情報（「ｃｈ」、「開始時刻」「終了時刻」等）を入力する（図９の（１１））。そして、ユーザが決定ボタンを押下（選択）すると、機器操作情報（例えば、「ｃｈ＝８」、「開始時刻＝１９：００」「終了時刻＝２１：００」）がルーター１２経由でホームサーバ１１に送信される（図９の（１２））。次に、ホームサーバ１１は、機器操作情報（例えば、「ｃｈ＝８」、「開始時刻＝１９：００」「終了時刻＝２１：００」）を蓄積する（図９の（１３））。次に、ビデオ６１は、機器情報（例えば、「ｃｈ＝８」、「開始時刻＝１９：００」「終了時刻＝２１：００」）をホームサーバ１１から取得し、セットする。そして、ビデオ６１は、指示通り、録画を行う（図９の（１４））。
【００６２】
以上、本実施の形態によれば、セキュリティーを確保しつつ、外部から容易に特定の電子機器にアクセスできる。特定の電子機器とは、例えば、家庭内のコンピュータ、ビデオ、冷蔵庫などの電子機器等である。また、本実施の形態によれば、サーバ装置からＨＴＭＬ等で記述された情報によって機器の動的に変化するＩＰアドレスやポートを携帯電話などのアクセス装置に提供でき、既存の携帯電話のブラウザ等を一切変更することなく、特定の電子機器にアクセスできる。また、携帯電話などのアクセス装置が、電子機器のアドレスを登録してあるサーバ装置に、まず接続するため、ダイナミックＤＮＳのようなキャッシュによる不整合は発生しない。
【００６３】
なお、本実施の形態において、グローバルＩＰアドレスはＩＰＶｅｒ４のＩＰアドレスを例に説明したが、ＩＰＶｅｒ６のグローバルＩＰアドレスなど、他の形式でも良い。また、グローバルＩアドレスは、単に、通信先を特定する情報ぐらいの意味であり、グロー
バルＩＰアドレスの代わりに、外部の情報処理装置と通信するための他の形式の情報を用いても良い。
【００６４】
また、本実施の形態において、ルーターが存在したが、ルーターは必須ではない。つまり、電子機器が直接インターネット等のネットワークに接続されていても良い。
【００６５】
また、本実施の形態において、電子機器の例として、主としてホームサーバを用いて説明した。そして、機器情報は、ホームサーバ以外のビデオやコンピュータの動作に用いられる情報であった。しかし、電子機器がビデオであり、機器情報は電子機器自身が用いる情報であっても良い。
【００６６】
また、本実施の形態において、電子機器からアクセス装置に、複数回にわたり操作情報が送信された後に、機器情報がアクセス装置から電子機器に送信された。しかし、電子機器からアクセス装置に１回だけ操作情報が送信された後に、機器情報がアクセス装置から電子機器に送信されても良い。
【００６７】
また、本実施の形態において、電子機器の機器操作情報設定部は必須ではない。つまり、電子機器の機器動作部は、機器操作画面情報受信部が受け付けた機器操作情報に基づいて、ただちに動作する場合もある。かかる場合、電子機器は、電子機器または他の電子機器を操作するための画面を構成する情報である操作画面情報を格納している操作画面情報格納部と、アクセス装置の要求に応じて、操作画面情報を送信する操作画面情報送信部と、アクセス装置からの機器操作情報を受け付ける機器操作画面情報受信部と、機器操作画面情報受信部が受け付けた機器操作情報に基づいて動作する機器動作部を具備するものとなる。
【００６８】
また、上述したように、アクセス装置において、電子機器アドレス情報の全部または一部を、アクセス装置で表示して、ユーザ指示に基づいて操作画面情報の送信を促す必要はない。例えば、電子機器アドレス情報が電子機器のＩＰアドレスを含むＵＲＬをアクセス装置に送信し、一定時間後に自動的にＵＲＬが示すページ（ＨＴＭＬで記載されたデータ）にジャンプするなどにより、ユーザに指示なしに次のステップに移っても良い。かかる場合の機器操作方法は以下のようになる。つまり、電子機器とサーバ装置と電子機器にアクセスするアクセス装置を有する情報処理システムにおける機器操作方法であって、アクセス装置が、サーバ装置へのアクセス要求を受け付けるアクセス要求受付ステップと、アクセス装置が、予め格納されているサーバ装置識別子で識別されるサーバ装置に、電子機器にアクセスするための情報である電子機器アクセス情報の送信を促す命令であり、かつアクセス装置識別子を有する命令である送信命令を送信する送信命令送信ステップと、サーバ装置が、格納している電子機器アクセス情報から、アクセス装置に対応する電子機器アドレス情報を取得する電子機器アドレス情報取得ステップと、サーバ装置が、電子機器アドレス情報を含む電子機器アクセス情報をアクセス装置に送信する電子機器アクセス情報送信ステップと、アクセス装置が、電子機器アクセス情報を受信する電子機器アクセス情報受信ステップと、アクセス装置が、受信した電子機器アクセス情報に基づいて、電子機器に操作画面情報の送信を促す操作画面情報送信指示ステップと、電子機器が、アクセス装置の送信指示に対して格納している操作画面情報を送信する操作画面情報送信ステップと、アクセス装置が、操作画面情報を受信する操作画面情報受信ステップと、アクセス装置が、受信した操作画面情報に基づいて操作画面を表示する操作画面表示ステップと、アクセス装置が、操作画面に対して、電子機器の機器操作情報の入力を受け付ける機器操作情報受付ステップと、アクセス装置が、機器操作情報を電子機器に送信する機器操作情報送信ステップと、電子機器が、機器操作情報を受信する機器操作情報受信ステップと、電子機器が、機器操作情報に基づいて動作する機器動作ステップを具備する機器操作方法である。
【００６９】
さらに、本実施の形態において説明した電子機器、サーバ装置、アクセス装置の動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。なお、アクセス装置の動作をソフトウェアで実現した場合のプログラムは、以下のようになる。つまり、コンピュータに、サーバ装置へのアクセス要求を受け付けるアクセス要求受付ステップと、アクセス要求を受け付けた場合に、予め格納されているサーバ装置識別子で識別されるサーバ装置に、電子機器にアクセスするための情報である電子機器アクセス情報の送信を促す命令であり、かつアクセス装置識別子を有する命令である送信命令を送信する送信命令送信ステップと、送信命令の送信に対応してサーバ装置から送信された電子機器アクセス情報を受信する電子機器アクセス情報受信ステップと、受信した電子機器アクセス情報に基づいて電子機器に操作画面情報の送信を促し、当該操作画面情報を受信する操作画面情報受信ステップと、受信した操作画面情報に基づいて操作画面を表示する操作画面表示ステップと、表示した操作画面に基づいて入力された機器操作情報を受け付ける機器操作情報受付ステップと、機器操作情報を電子機器に送信する機器操作画面情報送信ステップを実行させるためのプログラムである。
【産業上の利用可能性】
【００７０】
本発明によれば、外部から電子機器の機器情報の設定や機器の操作ができ、情報処理システム等として有用である。
【図面の簡単な説明】
【００７１】
【図１】実施の形態における情報処理システムのシステム構成図
【図２】実施の形態における情報処理システムのブロック構成図
【図３】実施の形態における電子機器の動作を説明するフローチャート
【図４】実施の形態におけるサーバ装置の動作を説明するフローチャート
【図５】実施の形態におけるアクセス装置の動作を説明するフローチャート
【図６】実施の形態における具体的な情報処理システムのシステム構成図
【図７】実施の形態におけるアクセス情報管理表を示す図
【図８】実施の形態における電子機器に格納されているメニューおよびパネル情報を示す図
【図９】実施の形態における情報処理システムの具体的な動作の流れを説明する図
【符号の説明】
【００７２】
１１  電子機器
１２  ルーター
１３  サーバ装置
１４  アクセス装置
１１０１  操作情報格納部
１１０２  操作画面情報送信部
１１０３  機器操作画面情報受信部
１１０４  機器操作情報設定部
１３０１  アクセス情報管理部
１３０２  送信命令受信部
１３０３  電子機器アクセス情報送信部
１４０１  アクセス装置識別子格納部
１４０２  サーバ装置識別子格納部
１４０３  アクセス要求受付部
１４０４  送信命令送信部
１４０５  電子機器アクセス情報受信部
１４０６  電子機器アクセス情報表示部
１４０７  操作画面情報送信命令受付部
１４０８  操作画面情報受信部
１４０９  操作画面表示部
１４１０  機器操作情報受付部
１４１１  機器操作情報送信部
【図１】
2006217660.tif 000003
【図２】
2006217660.tif 000004
【図３】
2006217660.tif 000005
【図４】
2006217660.tif 000006
【図５】
2006217660.tif 000007
【図６】
2006217660.tif 000008
【図７】
2006217660.tif 000009
【図８】
2006217660.tif 000010
【図９】
2006217660.tif 000011
【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
電子機器にアクセスするアクセス装置とサーバ装置とを有する情報処理システムであって、
前記サーバ装置は、
前記アクセス装置を識別する情報であるアクセス装置識別子と、前記電子機器にアクセスするためのアドレス及びポート番号を示す情報である電子機器アドレス情報とを有する情報を１以上有するアクセス情報管理部と、
前記アクセス装置からアクセス装置識別子を有する送信命令を受信する送信命令受信部と、
前記送信命令受信部が受信した送信命令が有するアクセス装置識別子と対になる電子機器アドレス情報を有する電子機器アクセス情報を前記アクセス装置に送信する電子機器アクセス情報送信部と、を具備し、
前記アクセス装置は、
当該アクセス装置を識別する情報であるアクセス装置識別子が格納されるアクセス装置識別子格納部と、
前記サーバ装置を識別する情報であるサーバ装置識別子が格納されるサーバ装置識別子格納部と、
前記サーバ装置識別子格納部に格納されているサーバ装置識別子で識別されるサーバ装置に、前記電子機器にアクセスするための情報である電子機器アクセス情報の送信を促す命令であり、かつ前記アクセス装置識別子を有する命令である送信命令を送信する送信命令送信部と、
前記送信命令の送信に対応して前記サーバ装置から送信された電子機器アクセス情報を受信する電子機器アクセス情報受信部と、を具備し、
前記アクセス装置は、前記電子機器アクセス情報受信部が受信した電子機器アクセス情報
に含まれる前記電子機器にアクセスするためのアドレス及びポート番号により前記電子機器にアクセスする、情報処理システム。
【請求項２】
電子機器とサーバ装置と前記電子機器にアクセスするアクセス装置とを有する情報処理システムを構成する前記サーバ装置であって、
前記サーバ装置は、
前記アクセス装置を識別する情報であるアクセス装置識別子と、前記電子機器にアクセスするためのアドレス及びポート番号を示す情報である電子機器アドレス情報とを有する情報を１以上有するアクセス情報管理部と、
前記アクセス装置からアクセス装置識別子を有する送信命令を受信する送信命令受信部と、
前記送信命令受信部が受信した送信命令が有するアクセス装置識別子と対になる電子機器アドレス情報を有する電子機器アクセス情報を前記アクセス装置に送信する電子機器アクセス情報送信部と、を具備し、
前記アクセス装置は、
当該アクセス装置を識別する情報であるアクセス装置識別子が格納されるアクセス装置識別子格納部と、
前記サーバ装置を識別する情報であるサーバ装置識別子が格納されるサーバ装置識別子格納部と、
前記サーバ装置識別子格納部に格納されているサーバ装置識別子で識別されるサーバ装置に、前記電子機器にアクセスするための情報である電子機器アクセス情報の送信を促す命令であり、かつ前記アクセス装置識別子を有する命令である送信命令を送信する送信命令送信部と、
前記送信命令の送信に対応して前記サーバ装置から送信された電子機器アクセス情報を受信する電子機器アクセス情報受信部と、を具備する、サーバ装置。
【請求項３】
電子機器とサーバ装置と前記電子機器にアクセスするアクセス装置とを有する情報処理システムを構成する前記アクセス装置であって、
前記サーバ装置は、
前記アクセス装置を識別する情報であるアクセス装置識別子と、前記電子機器にアクセスするためのアドレス及びポート番号を示す情報である電子機器アドレス情報とを有する情報を１以上有するアクセス情報管理部と、
前記アクセス装置からアクセス装置識別子を有する送信命令を受信する送信命令受信部と、
前記送信命令受信部が受信した送信命令が有するアクセス装置識別子と対になる電子機器アドレス情報を有する電子機器アクセス情報を前記アクセス装置に送信する電子機器アクセス情報送信部と、を具備し、
前記アクセス装置は、
当該アクセス装置を識別する情報であるアクセス装置識別子が格納されるアクセス装置識別子格納部と、
前記サーバ装置を識別する情報であるサーバ装置識別子が格納されるサーバ装置識別子格納部と、
前記サーバ装置識別子格納部に格納されているサーバ装置識別子で識別されるサーバ装置に、前記電子機器にアクセスするための情報である電子機器アクセス情報の送信を促す命令であり、かつ前記アクセス装置識別子を有する命令である送信命令を送信する送信命令送信部と、
前記送信命令の送信に対応して前記サーバ装置から送信された電子機器アクセス情報を受信する電子機器アクセス情報受信部と、を具備し、
前記電子機器アクセス情報受信部が受信した電子機器アクセス情報に含まれる前記電子機器にアクセスするためのアドレス及びポート番号により前記電子機器にアクセスするアク
セス装置。
【請求項４】
コンピュータに、
電子機器とサーバ装置と前記電子機器にアクセスするアクセス装置とを有する情報処理システムを構成する前記サーバ装置における処理を実行させるためのプログラムであって、前記アクセス装置から当該アクセス装置を識別する情報であるアクセス装置識別子を有する送信命令を受信する送信命令受信ステップと、
格納している、前記アクセス装置を識別する情報であるアクセス装置識別子と、前記電子機器にアクセスするためのアドレス及びポート番号を示す情報である電子機器アドレス情報とを有する１以上の情報から、前記送信命令受信ステップで受信した送信命令が有するアクセス装置識別子と対になる電子機器アドレス情報を取得する取得ステップと、
前記取得ステップで取得した電子機器アドレス情報を有する電子機器アクセス情報を前記アクセス装置に送信する電子機器アクセス情報送信ステップと、を実行させるためのプログラム。
【請求項５】
コンピュータに、
電子機器とサーバ装置と前記電子機器にアクセスするアクセス装置とを有する情報処理システムを構成する前記アクセス装置における処理を実行させるためのプログラムであって、
予め格納されているサーバ装置識別子で識別されるサーバ装置に、前記電子機器にアクセスするためのアドレス及びポート番号を示す情報である電子機器アドレス情報を有する情報である電子機器アクセス情報の送信を促す命令であり、かつアクセス装置識別子を有する命令である送信命令を送信する送信命令送信ステップと、
前記電子機器アクセス情報を受信する電子機器アクセス情報受信ステップと、
前記受信した電子機器アクセス情報に基づいて、前記電子機器にアクセスするアクセスステップと、を実行させるためのプログラム。
【請求項６】
電子機器とサーバ装置と前記電子機器にアクセスするアクセス装置とを有する情報処理システムを構成する前記サーバ装置において用いられる情報処理方法であって、
前記アクセス装置から当該アクセス装置を識別する情報であるアクセス装置識別子を有する送信命令を受信する送信命令受信ステップと、
格納している、前記アクセス装置を識別する情報であるアクセス装置識別子と、前記電子機器にアクセスするためのアドレス及びポート番号を示す情報である電子機器アドレス情報とを有する１以上の情報から、前記送信命令受信ステップで受信した送信命令が有するアクセス装置識別子と対になる電子機器アドレス情報を取得する取得ステップと、
前記取得ステップで取得した電子機器アドレス情報を有する電子機器アクセス情報を前記アクセス装置に送信する電子機器アクセス情報送信ステップと、を具備する情報処理方法。
【請求項７】
電子機器とサーバ装置と前記電子機器にアクセスするアクセス装置とを有する情報処理システムを構成する前記アクセス装置で用いられる情報処理方法であって、
予め格納されているサーバ装置識別子で識別されるサーバ装置に、前記電子機器にアクセスするためのアドレス及びポート番号を示す情報である電子機器アドレス情報を有する情報である電子機器アクセス情報の送信を促す命令であり、かつアクセス装置識別子を有する命令である送信命令を送信する送信命令送信ステップと、
前記電子機器アクセス情報を受信する電子機器アクセス情報受信ステップと、
前記受信した電子機器アクセス情報に基づいて、前記電子機器にアクセスするアクセスステップと、を具備する情報処理方法。
【手続補正３】
【補正対象書類名】明細書
【補正対象項目名】００１１
【補正方法】変更
【補正の内容】
【００１１】
操作画面情報送信部１１０２は、アクセス装置１４の要求に応じて、操作画面情報格納部１１０１に格納されている操作画面情報を取得し、ルーター１２経由でアクセス装置１４に送信する。なお、アクセス装置１４の要求に応じて操作画面情報を取得するとは、通常、二以上ある操作画面情報のうちから一の操作画面情報を選択することを言う。但し、操作画面情報が一つだけである場合は、選択の必要はないのは言うまでもない。操作画面情報送信部１１０２は、通常、無線または有線の通信手段（例えば、ネットワークカードとそのドライバーソフト等）で実現され得るが、放送手段で実現しても良い。
【手続補正４】
【補正対象書類名】明細書
【補正対象項目名】００５６
【補正方法】変更
【補正の内容】
【００５６】
なお、図５のフローチャートにおいて、ステップＳ５０７からステップＳ５０９は必須ではない。つまり、電子機器アドレス情報の全部または一部を、アクセス装置１４で表示して、ユーザ指示に基づいて操作画面情報の送信を促す必要はない。例えば、電子機器アドレス情報が電子機器１１のＩＰアドレスを含むＵＲＬをアクセス装置１４に送信し、一定時間後に自動的にＵＲＬが示すページ（ＨＴＭＬで記載されたデータ）にジャンプするなどにより、ユーザの指示なしに次のステップ（電子機器に操作画面情報の送信を促す動作）に移っても良い。
【手続補正５】
【補正対象書類名】明細書
【補正対象項目名】００６０
【補正方法】変更
【補正の内容】
【００６０】
以下、上記の動作の流れを詳細に説明する。本情報処理システムの具体的な動作について、図９を用いて説明する。まず、携帯電話１４のユーザがサーバ装置１３へのアクセス要求を入力する。本アクセス要求は、サーバ装置識別子（サーバ装置１３にアクセスするためのＵＲＬ）がブックマークとして登録されており、かかるブックマークを選択することにより行われる（図９の（１））。次に、携帯電話１４が自身の電話番号「０９０−１１１１−２２２２」を含む送信命令をサーバ装置１３に送信して、接続に行く（図９の（２））。次に、サーバ装置１３は、電話番号「０９０−１１１１−２２２２」をキーとして図７の管理表を検索し、「ページ名」「グローバルＩＰアドレス」「電子機器名」「暗証番号」を有する電子機器アクセス情報（"山田君"のページ）を携帯電話１４に送信する（図９の（３））。その際、サーバ装置１３が格納している広告情報（図示しない）も併せて送信する、とする。そして、携帯電話１４は、電子機器アクセス情報を受信し、電子機器アクセス情報の一部、または全部を表示する。その際、携帯電話１４は、受信した広告情報も表示する。そして、ユーザは、アクセスしたい電子機器１１を選択する（図９の（４））。図９においては、一つしかアクセス可能な電子機器はないが、複数のアクセス
可能な電子機器があっても良い、ことは言うまでもない。また、図９において図示していないが、図９の（４）の選択は、暗証番号「０１２３」を入れることにより可能になる。
【手続補正６】
【補正対象書類名】明細書
【補正対象項目名】００６３
【補正方法】変更
【補正の内容】
【００６３】
なお、本実施の形態において、グローバルＩＰアドレスはＩＰＶｅｒ４のＩＰアドレスを例に説明したが、ＩＰＶｅｒ６のグローバルＩＰアドレスなど、他の形式でも良い。また、グローバルＩＰアドレスは、単に、通信先を特定する情報ぐらいの意味であり、グローバルＩＰアドレスの代わりに、外部の情報処理装置と通信するための他の形式の情報を用いても良い。